【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
特定の被測定者の、複数の時期を含む単位期間における生体情報を記憶する記憶装置と、
前記記憶された特定の被測定者の生体情報に基づいて、当該生体情報の変動特性を推定する推定部と、
前記特定の被測定者の生体情報を、当該生体情報の測定時期を表す情報と共に取得する取得部と、
前記取得された特定の被測定者の生体情報を、当該生体情報と共に取得した測定時期を表す情報と、前記推定された前記変動特性と、に基づいて補正する補正部と、
を備え、
前記生体情報は、第１の領域に関連づけられた第１の生体情報と、前記第１の領域と異なる第２の領域に関連づけられた第２の生体情報と、を含み、
前記推定部は、前記第１の生体情報に基づいて第１の変動特性を推定し、前記第２の生体情報に基づいて第２の変動特性を推定し、
前記取得部は、前記特定の被測定者の生体情報の測定場所を示す位置情報を更に取得し、
前記補正部は、前記取得された特定の被測定者の生体情報を、前記取得された位置情報が前記第１の領域に含まれる場合には前記第１の変動特性に基づいて補正し、前記第２の領域に含まれる場合には前記第２の変動特性に基づいて補正する、
生体情報処理装置。
【請求項２】
前記補正部により補正された生体情報と、前記推定された前記変動特性とに基づいて、前記特定の被測定者の生体情報に関する解析情報を生成する生成部を更に備える、請求項１記載の生体情報処理装置。
【請求項３】
前記推定部は、前記取得された特定の被測定者の生体情報に基づいて、前記推定された前記変動特性を更新する、請求項１記載の生体情報処理装置。
【請求項４】
前記推定部は、不特定の少なくとも１人の被測定者の、複数の時期を含む単位期間における生体情報の変動特性の統計情報に更に基づいて、前記特定の被測定者の生体情報の変動特性を推定する、請求項１記載の生体情報処理装置。
【請求項５】
前記推定部は、前記記憶された特定の被測定者の生体情報に基づいて、当該生体情報の異なる期間に対応する複数の変動特性を推定する、請求項１記載の生体情報処理装置。
【請求項６】
前記単位期間は、１年間、１週間、及び１日間のいずれかに設定される、請求項１記載の生体情報処理装置。
【請求項７】
前記補正部により補正された生体情報に基づいて、前記特定の被測定者の健康状態に応じた評価情報を生成する評価部を更に備える、請求項１記載の生体情報処理装置。
【請求項８】
前記評価情報は、保険加入の可否を判定するための情報と、保険料又はリワードポイントを算定するための情報の少なくとも一方を含む、請求項７記載の生体情報処理装置。
【請求項９】
記憶装置を備える生体情報処理装置が実行する生体情報処理方法であって、
特定の被測定者の、複数の時期を含む単位期間における生体情報を記憶する過程と、
前記記憶された特定の被測定者の生体情報に基づいて、当該生体情報の変動特性を推定する過程と、
前記特定の被測定者の生体情報を、当該生体情報の測定時期を表す情報と共に取得する過程と、
前記取得された特定の被測定者の生体情報を、当該生体情報と共に取得した測定時期を表す情報と、前記推定された前記変動特性とに基づいて補正する過程と、
を備え、
前記生体情報は、第１の領域に関連づけられた第１の生体情報と、前記第１の領域と異なる第２の領域に関連づけられた第２の生体情報と、を含み、
前記推定する過程は、前記第１の生体情報に基づいて第１の変動特性を推定し、前記第２の生体情報に基づいて第２の変動特性を推定し、
前記取得する過程は、前記特定の被測定者の生体情報の測定場所を示す位置情報を更に取得し、
前記補正する過程は、前記取得された特定の被測定者の生体情報を、前記取得された位置情報が前記第１の領域に含まれる場合には前記第１の変動特性に基づいて補正し、前記第２の領域に含まれる場合には前記第２の変動特性に基づいて補正する、
生体情報処理方法。
【請求項１０】
請求項１乃至８のいずれか１項に記載の生体情報処理装置が備える各部としてコンピュータを機能させるプログラム。
【手続補正２】
【補正対象書類名】明細書
【補正対象項目名】００１５
【補正方法】変更
【補正の内容】
【００１５】
上記一側面に係る生体情報処理装置において、前記評価情報は、保険加入の可否を判定するための情報と、保険料又はリワードポイントを算定するための情報の少なくとも一方を含んでもよい。当該構成によれば、生体情報に基づいて、被測定者の生体情報の評価結果を保険加入可否、保険料、又はリワードポイントに反映できる。これにより、被測定者は、測定時期によらない公平な評価の結果により、適切な保険に加入し、適切な保険料を支払い、又は適切なクーポンを受け取ることができる。
【手続補正３】
【補正対象書類名】明細書
【補正対象項目名】００６６
【補正方法】変更
【補正の内容】
【００６６】
なお、図６はあくまで一例であり、変動曲線Ｌ１０及びＬ１１の変動特性は、図６に示された変動特性及び変動量に限らず、図６の例の傾向と異なる任意の変動特性及び変動量となり得る。例えば、１年間の血圧の周期的変動を引き起こす原因の１つとして、地球の公転によって生じる季節の変化が考えられる。このため、図６では、上述の通り、日本に住む被測定者から取得された血圧値の変動特性が示されているが、日本とは季節変化や気候等が異なる国又は地域に住む被測定者から取得された血圧値の変動特性は、図６に示された変動特性と異なり得る。つまり、血圧値の測定場所（国や地域などの違い、又は緯度及び経度の違い）に応じて、異なる変動特性となり得る。なお、以下の説明では、当該図６に示される変動特性と同様の国及び地域における被測定者から得られる変動特性を参照して説明する。
【手続補正４】
【補正対象書類名】明細書
【補正対象項目名】００８１
【補正方法】変更
【補正の内容】
【００８１】
解析情報生成部５１６は、補正情報を受けると、変動特性推定情報５２４を用いて、補正情報と共に血圧値の評価に用いられ得る情報を含む解析情報を生成する。解析情報は、後述の血圧評価装置７０による評価の際に、補正済み血圧値と組み合わせることによって評価情報の精度を高め得る。具体的には、例えば、解析情報は、補正済み血圧値に加えて、期間内における血圧値の変動幅や、最大値、最小値、及び最頻値等を含む。これにより、被測定者の血圧値が補正済み血圧値を平均値としてどの程度変動し得るか、といった情報を評価の際に考慮することができる。解析情報生成部５１６は、生成された解析情報を出力部５１４に送出する。
【手続補正５】
【補正対象書類名】明細書
【補正対象項目名】０１３３
【補正方法】変更
【補正の内容】
【０１３３】
図１７は、本実施形態の第４変形例に係る評価基準情報７２３を例示するダイアグラムである。図１７の例では、異なる被測定者から、血圧情報Ｐ４１及びＰ４２がそれぞれ取得された場合が示される。血圧情報Ｐ４１及びＰ４２の血圧値はいずれも、測定時期によらない閾値Ｐｓを下回っている。このような場合、補正部５１５は、例えば、閾値Ｐｓを、被測定者の各々にそれぞれ対応する変動特性に基づいて変動させてもよい。つまり補正部５１５は、閾値Ｐｓを、血圧情報Ｐ４１の被測定者に対しては補正済み閾値Ｌ４０のように補正し、血圧情報Ｐ４２の被測定者に対しては補正済み閾値Ｌ４１のように補正してもよい。なお、補正済み閾値Ｌ４０及びＬ４１はそれぞれ、対応する被測定者の各々の変動特性推定情報５２４と相関する形状を有していることが望ましい。